(57)【要約】      （修正有）【課題】１個の清掃用ブラシ或いは箒で角隅部を含めて全体を清掃することができ、作業時間の短縮、清掃用具費用を節約する清掃用ブラシを提供する。【解決手段】ブラシ取付基板１に、略同一高さのブラシ面２ａを形成するブラシ本体部２を設けると共に、該ブラシ本体部２の外周の少なくとも一部に該ブラシ本体部２よりブラシ丈の長い長ブラシ体部３を設けた。【選択図】図１
0003143292.tif 000002
【実用新案登録請求の範囲】
【請求項１】
ブラシ取付基板１に、略同一高さのブラシ面２ａを形成するブラシ本体部２を設けると共に、該ブラシ本体部２の外周の少なくとも一部に該ブラシ本体部２よりブラシ丈の長い長ブラシ体部３を設けてなる清掃用ブラシ。
【請求項２】
請求項１に記載の清掃用ブラシにおいて、長ブラシ体部がブラシ本体部の外周を囲って設けてある清掃用ブラシ。
【請求項３】
請求項１又は２に記載の清掃用ブラシにおいて、ブラシ本体部２が、不使用時にブラシ取付基板１に略平行なブラシ面２ａを形成するように設けてある清掃用ブラシ。
【請求項４】
請求項１、２又は３に記載の清掃用ブラシにおいて、長ブラシ体部３が、不使用時にブラシ本体部２から外側に向かって段階的にブラシ丈が長く設けてある清掃用ブラシ。
【請求項５】
請求項１、２又は３に記載の清掃用ブラシにおいて、長ブラシ体部３が内側より外側に向うに従ってブラシ丈が連続的に長くなるように設けてある清掃用ブラシ。
【請求項６】
請求項１乃至５のいずれかに記載の清掃用ブラシにおいて、使用時に、ブラシ対象面に対してブラシ本体部２がブラシ取付基板１の内側においてブラシ面２ａを形成すると共に、長ブラシ体部３がブラシ取付基板１の外側においてブラシ面３ａを形成する清掃用ブラシ。
【請求項７】
請求項１乃至６のいずれかに記載の清掃用ブラシにおいて、ブラシ本体部２又は長ブラシ体部３のブラシ丈を長さ調整可能に設けてある清掃用ブラシ。
【請求項８】
請求項１乃至７のいずれかに記載の清掃用ブラシにおいて、ブラシ本体部２又は長ブラシ体部３が着脱可能に設けてある清掃用ブラシ
【請求項９】
請求項１乃至８のいずれかに記載の清掃用ブラシにおいて、ブラシ１０が床面清掃用ブラシである清掃用ブラシ。
【考案の詳細な説明】
【技術分野】
【０００１】
本考案は、清掃用ブラシに関し、清掃用の箒も含まれるものである。
【背景技術】
【０００２】
従来、種々の清掃用ブラシのおいて、ブラシ取付基板にブラシ丈が同一になるように植毛し、ブラシ取付基板とブラシ面が平行になる清掃用ブラシが基本型であり、特殊なものとしては中央部を長く、その周囲を短くしたもの等が知られている。
【考案の開示】
【考案が解決しようとする課題】
【０００３】
従来の清掃用ブラシでは、一般の床面の中央部等の開けた場所を清掃するには、自由に清掃することができるが、隅角部を清掃する場合、ブラシ取付基板が壁面や置物に当たって、隅々までブラシがとどかず、他の隅角部専用のブラシを用いないと清掃ができない課題があった。
【課題を解決するための手段】
【０００４】
そこで、本考案は、請求項１に記載のように、ブラシ取付基板１に、略同一高さのブラシ面２ａを形成するブラシ本体部２を設けると共に、該ブラシ本体部２の外周の少なくとも一部に該ブラシ本体部２よりブラシ丈の長い長ブラシ体部３を設けてなる清掃用ブラシを提供しようとするものである。
【０００５】
また、本考案は、請求項２に記載のように、請求項１に記載の清掃用ブラシにおいて、長ブラシ体部がブラシ本体部の外周を囲って設けてある清掃用ブラシを提供しようとするものである。
【０００６】
また、本考案は、請求項３に記載のように、請求項１又は２に記載の清掃用ブラシにおいて、ブラシ本体部２が、不使用時にブラシ取付基板１に略平行なブラシ面２ａを形成するように設けてある清掃用ブラシを提供しようとするものである。
【０００７】
また、本考案は、請求項４に記載のように、請求項１、２又は３に記載の清掃用ブラシにおいて、長ブラシ体部３が、不使用時にブラシ本体部２から外側に向かって段階的にブラシ丈が長く設けてある清掃用ブラシを提供しようとするものである。
【０００８】
また、本考案は、請求項５に記載のように、請求項１、２又は３に記載の清掃用ブラシにおいて、長ブラシ体部３が内側より外側に向うに従ってブラシ丈が連続的に長くなるように設けてある清掃用ブラシを提供しようとするものである。
【０００９】
また、本考案は、請求項６に記載のように、請求項１乃至５のいずれかに記載の清掃用ブラシにおいて、使用時に、ブラシ対象面に対してブラシ本体部２がブラシ取付基板１の内側においてブラシ面２ａを形成すると共に、長ブラシ体部３がブラシ取付基板１の外側においてブラシ面３ａを形成する清掃用ブラシを提供しようとするものである。
【００１０】
また、本考案は、請求項７に記載のように、請求項１乃至６のいずれかに記載の清掃用ブラシにおいて、ブラシ本体部２又は長ブラシ体部３のブラシ丈を長さ調整可能に設けてある清掃用ブラシを提供しようとするものである。
【００１１】
また、本考案は、請求項８に記載のように、請求項１乃至７のいずれかに記載の清掃用ブラシにおいて、ブラシ本体部２又は長ブラシ体部３が着脱可能に設けてある清掃用ブラシを提供しようとするものである。
【００１２】
また、本考案は、請求項９に記載のように、請求項１乃至８のいずれかに記載の清掃用ブラシにおいて、ブラシ１０が床面清掃用ブラシである清掃用ブラシを提供しようとするものである。
【考案の効果】
【００１３】
本考案に係る清掃用ブラシによれば、請求項１に記載のように、ブラシ取付基板１に、略同一高さのブラシ面２ａを形成するブラシ本体部２を設けると共に、該ブラシ本体部２の外周の少なくとも一部に該ブラシ本体部２よりブラシ丈の長い長ブラシ体部３を設けてなる構成を有することにより、ブラシ本体部２がブラシ対象面に当接する段階で、長ブラシ体部３はブラシ本体部２の外側向かってブラシ面３ａを形成するから、長ブラシ体部３によりブラシ本体部１の外周に拡張したブラシ面３ａにより、ブラシ取付基板１の外方において壁際などを広範囲に容易にブラシングできる効果があり、１個の清掃用ブラシ或いは箒で角隅部を含めて全体を清掃することができることになり、作業時間の短縮、清掃用具費用の節約の効果がある
また、本考案は、請求項２に記載のように、請求項１に記載の清掃用ブラシにおいて、長ブラシ体部３がブラシ本体部２の外周を囲って設けてある構成を有することにより、ブラシ取付基板１の全方向において均等にブラシングができる効果がある
また、本考案は、請求項３に記載のように、請求項１又は２に記載の清掃用ブラシにおいて、ブラシ本体部２が、不使用時にブラシ取付基板１に略平行なブラシ面２ａを形成するように設けてある構成を有することにより、ブラシ取付基板１に加わる力がブラシ面２ａに均等に加わり使い勝手がよい効果がある。
【００１４】
また、本考案は、請求項４に記載のように、請求項１、２又は３に記載の清掃用ブラシにおいて、長ブラシ体部３が、不使用時にブラシ本体部２から外側に向かって段階的にブラシ丈が長く設けてある構成を有することにより、長ブラシ体部３を外側ほど外側に容易に曲げやすい効果がある。
また、本考案は、請求項５に記載のように、請求項１、２又は３に記載の清掃用ブラシにおいて、長ブラシ体部３が内側より外側に向うに従ってブラシ丈が連続的に長くなるように設けてある構成を有することにより、長ブラシ体部３を外側に連続的により円滑に容易に曲げやすい効果がある。
【００１５】
また、本考案は、請求項６に記載のように、請求項１乃至５のいずれかに記載の清掃用ブラシにおいて、使用時に、ブラシ対象面に対してブラシ本体部２がブラシ取付基板１の内側においてブラシ面２ａを形成すると共に、長ブラシ体部３がブラシ取付基板１の外側においてブラシ面３ａを形成する構成を有することにより、床の壁際等の隅をブラシ取付基板１の外方に長出した長ブラシ体部３で容易にブラシングすることができる効果がある。
【００１６】
また、本考案は、請求項７に記載のように、請求項１乃至６のいずれかに記載の清掃用ブラシにおいて、ブラシ本体部２又は長ブラシ体部３のブラシ丈を長さ調整可能に設けてある構成を有することにより、ブラッシング対象面に応じてブラシの長さを調整して対応することができる効果がある。
【００１７】
また、本考案は、請求項８に記載のように、請求項１乃至７のいずれかに記載の清掃用ブラシにおいて、ブラシ本体部２又は長ブラシ体部３が着脱可能に設けてある構成を有することにより、ブラシ交換自在にブラッシングすることができる効果がある。
【００１８】
また、本考案は、請求項９に記載のように、請求項１乃至８のいずれかに記載の清掃用ブラシにおいて、ブラシ１０が床面清掃用ブラシである構成を有することにより、床の壁際などを角隅用の専用ブラシ等に交換をすることなくそのまま容易に清掃することができる効果がある。
【考案を実施するための最良の形態】
【００１９】
以下図示する実施例のより本考案を説明する。
【実施例１】
【００２０】
図１に記載の実施例１において、本考案に係る清掃用ブラシ１０は、略水平なブラシ取付基板１の中央部を含む９割以上の面に、略水平なブラシ面２ａを形成するブラシ本体部２を設けると共に、該ブラシ本体部２の外周の少なくとも一部に該ブラシ本体部２よりブラシ丈の長い長ブラシ体部３を設けてあり、使用時にブラシ本体部２が床面等のブラシ対象面に当接する段階で、長ブラシ体部３はブラシ本体部２の外側向かって張出してブラシ面３ａが床面等のブラシ対象面に当接するから、長ブラシ体部３によりブラシ本体部１の外周に拡張したブラシ面３ａにより、ブラシ取付基板１の外方において壁際などの偶角部を含めて広範囲に容易にブラシングできる。  また、実施例１において、長ブラシ体部３がブラシ本体部２の外周を囲って設けてある構成を有する場合には、ブラシ取付基板１の全方向において均等に長ブラシ体部３のブラシ面３ａによって偶角部を清掃することができる。
【００２１】
また、実施例１において、ブラシ本体部２が、不使用時にブラシ取付基板１に略平行なブラシ面２ａを形成するように設けてある場合には、ブラシ取付基板１に加わる力がブラシ面２ａにそのまま均等に加わり使い勝手がよい。
【００２２】
また、実施例１において、長ブラシ体部３が、不使用時にブラシ本体部２から外側に向かって段階的にブラシ丈が長く設けてある場合には、長ブラシ体部３を内側より外側ほど外方に容易に曲げやすく、清掃時に加える押圧力を少なくすることができる。
【００２３】
また、実施例１において、図示の如く、長ブラシ体部３が内側より外側に向うに従ってブラシ丈が連続的に長くなるように設けてある場合には、長ブラシ体部３を外側に連続的により円滑に容易に曲げやすくする効果がある。
【００２４】
また、実施例１において、使用時に、床面等のブラシ対象面に対してブラシ本体部２がブラシ取付基板１の内側においてブラシ面２ａがブラシ対象面に当接すると共に、長ブラシ体部３がブラシ取付基板１の外側においてブラシ面３ａを形成する構成を有する場合には、床の壁際等の隅をブラシ取付基板１の外方に長出した長ブラシ体部３で容易にブラシングすることができると共に、不使用時には長ブラシ体部３がブラシ取付基板１の内側に収まるから、収納場所を取らない効果がある。
【実施例２】
【００２５】
また、図２に記載の実施例２において、清掃用ブラシ１０は、略水平なブラシ取付基板１の全面に、ブラシ取付基板１から張出しない略水平なブラシ面２ａを形成するブラシ本体部２を設けると共に、該ブラシ本体部２の外周の少なくとも一部に該ブラシ本体部２よりブラシ丈の長い長ブラシ体部３を外方に向かって張出して設けてあり、ブラシ取付基板１の外方において常時長ブラシ体部３のブラシ面３ａで清掃することができる。
【実施例３】
【００２６】
また、図３に記載の実施例３は、取っ手４が傾斜して設けてあり、これに伴って、取っ手４の手前側の長ブラシ体部３より前方に位置する長ブラシ体部３をより外方に張出して設けてあり、角隅部をブラシ取付基板１の前方で清掃し易くなるように構成してある。
【実施例４】
【００２７】
また、図４に記載の実施例４の場合、清掃用ブラシは、ブラシ本体部２及び長ブラシ体部３のブラシ丈を着脱及び長さ調整可能に設けてある。
【００２８】
図４において、ブラシ本体部２はブラシ面２ａが略水平になるようにブラシ植毛板５に、長ブラシ体部３はブラシ面３ａが外方に向かって傾斜するようにブラシ植毛板６にそれぞれ設けてあり、ブラシ取付基板１に着脱軸部９を着脱して自在に交換することができるように構成してある。
【００２９】
また、図示の実施例４の場合、ブラシ本体部２のブラシ植毛板５とブラシ取付基板１との間には、着脱軸部９が貫通する長さ調整板７が設けてあると共に、長ブラシ体部３のブラシ植毛板６とブラシ取付基板１との間には、着脱軸部９が貫通する長さ調整板８が設けてあり、板厚の異なる長さ調整板７又は８を交換することによってブラシ丈の異なるブラシ本体部２又は長ブラシ体部３を使用することができる。
【００３０】
なお、図１乃至図３に記載のブラシ本体部２又は長ブラシ体部３は、ブラシ面２ａ又は３ａを刈り込むことによって、ブラシ面２ａ又は３ａの高さ又は形状を調整することができる。
【図面の簡単な説明】
【００３１】
【図１】本考案に係る清掃用ブラシの一実施例の概略正面図。
【図２】本考案に係る清掃用ブラシの他の実施例の概略正面図。
【図３】本考案に係る清掃用ブラシの他の実施例の概略側面図。
【図４】本考案に係る清掃用ブラシの他の実施例の中央縦断正面図。
【符号の説明】
【００３２】
１      ブラシ取付基板
２      ブラシ本体部
２ａ    ブラシ面
３      長ブラシ体部
３ａ    ブラシ面
４      取っ手
５、６  ブラシ植毛板
７、８  長さ調整板
９      着脱軸部
１０    清掃用ブラシ
【図１】
0003143292.tif 000003
【図２】
0003143292.tif 000004
【図３】
0003143292.tif 000005
【図４】
0003143292.tif 000006